(57)【要約】【課題】ＬＥＤからの光を有効に利用するとともに、眩しさを感じさせないＬＥＤを用いた照明装置を提供する。【解決手段】ＬＥＤを用いた照明装置１０は、ＬＥＤ電球１１と、ＬＥＤ電球１１を中心として、ＬＥＤ電球１１の周囲に放射状に延在するように設けられた複数のブレード１２とを含む。放射状に延在する複数のブレード１２は、ＬＥＤ電球１１側において相互に接続されている。【選択図】図２
2012074211.tif 000002
【特許請求の範囲】
【請求項１】
省電力光源と、
前記省電力光源を中心として、前記省電力光源の周囲に放射状に延在するように設けられた複数のブレードとを含み、
放射状に延在する前記複数のブレードは、省電力光源側において相互に接続されている、省電力光源を用いた照明装置。
【請求項２】
前記省電力光源はＬＥＤ電球である、請求項１に記載の省電力光源を用いた照明装置。
【請求項３】
前記ブレードはプラスチックダンボールである、請求項１または２に記載の省電力光源を用いた照明装置。
【請求項４】
前記ブレードとして用いられるプラスチックダンボールの溝は水平方向に延在する、請求項３に記載の省電力光源を用いた照明装置。
【請求項５】
前記省電力光源と前記複数のブレードとの間にはアクリル製の円筒が設けられる、請求項１〜４のいずれかに記載の省電力光源を用いた照明装置。
【請求項６】
前記省電力光源を用いた照明装置は、前記複数のブレードと前記省電力光源とを保持するベースを含み、
前記ベースは円筒状の壁を有し、
前記ブレードは溝を有し、
前記ブレードの溝が前記ベースの壁に装着される、請求項１〜５のいずれかに記載の省電力光源を用いた照明装置。
【発明の詳細な説明】
【技術分野】
【０００１】
この発明は省電力光源を用いた照明装置に関し、特に、全面から柔らかく暖かい光を周囲に提供できる省電力光源を用いた照明装置に関する。
【背景技術】
【０００２】
近年、省エネの観点からＬＥＤ（Light Emitting Diode）のような省電力光源を用いた照明装置が提供されている。従来のＬＥＤを用いた照明装置が、例えば特開２０１０−１２３３６９号公報（特許文献１）に開示されている。特許文献１によれば、ＬＥＤを用いた照明装置は、発光ダイオードと、発光ダイードの前方を囲み、前方向においてその径が拡大する形状を有する反射面を有する筒体と、筒体の前端部に設けられたアクリル樹脂からなる透光性のカバーとを含む。ここで筒体はたとえば、アルミダイキャストで形成されている。
【先行技術文献】
【特許文献】
【０００３】
【特許文献１】特開２０１０−１２３３６９号公報
【発明の概要】
【発明が解決しようとする課題】
【０００４】
従来のＬＥＤのような省電力光源を用いた照明装置は上記のように構成されていた。照明装置の光源による眩しさを避けるために、ＬＥＤ光の照射口には透光性のカバーが設けられていた。このような構成では、ＬＥＤからの光を一方向にしか照射できず、照明装置としてＬＥＤの光が効率的に利用されていなかった。
【０００５】
この発明は上記のような問題点に鑑みてなされたもので、ＬＥＤのような省電力光源からの光を有効に利用するとともに、眩しさを感じさせない省電力光源を用いた照明装置を提供することを目的とする。
【課題を解決するための手段】
【０００６】
この発明に係る省電力光源を用いた照明装置は、省電力光源と、省電力光源を中心として、省電力光源の周囲に放射状に延在するように設けられた複数のブレードとを含む。放射状に延在する複数のブレードは、省電力光源側において相互に接続されている。
【０００７】
好ましくは、省電力光源はＬＥＤである。
【０００８】
さらに好ましくは、ブレードはプラスチックダンボールである。また、ブレードとして用いられるプラスチックダンボールの溝は水平方向に延在するのが好ましい。
【０００９】
省電力光源と複数のブレードとの間にはアクリル製の円筒が設けられてもよい。
【００１０】
この発明の一つの実施の形態においては、省電力光源を用いた照明装置は、複数のブレードと省電力光源とを保持するベースを含む。ベースは円筒状の壁を有し、ブレードは溝を有し、ブレードの溝がベースの壁に装着されてもよい。
【発明の効果】
【００１１】
省電力光源を中心として、その周囲に放射状に延在するように設けられた複数のブレードが省電力光源側において相互に接続されているため、省電力光源からの光は省電力光源を中心としてその周囲に照射されると共に、照射される光は直接外部に漏れない。
【００１２】
その結果、省電力光源からの光を有効に利用するとともに、眩しさを感じさせない省電力光源を用いた照明装置を提供できる。
【図面の簡単な説明】
【００１３】
【図１】この発明の一実施の形態に係るＬＥＤを用いた照明装置の斜視図である。
【図２】図１に示したＬＥＤを用いた照明装置を示す平面図および断面図である。
【図３】ＬＥＤを用いた照明装置のベースを示す図である。
【図４】ブレードの種類を示す図である。
【図５】図４に示したブレードを用いた場合のＬＥＤを用いた照明装置を示す図である。
【発明を実施するための形態】
【００１４】
以下、この発明の一実施の形態を図面を参照して説明する。図１はこの発明の一実施の形態に係る、省電力光源としてＬＥＤ電球を用いた照明装置の斜視図である。図１を参照して、この実施の形態に係る、省電力光源としてＬＥＤ電球を用いた照明装置１０は、光源としての、図示のないＬＥＤ電球と、ＬＥＤ電球の周囲に放射状に設けられた、半円形の板状のブレード１２と、ＬＥＤ電球およびブレード１２を支持するベース１３とを含む。ここで、ブレード１２はプラスチックダンボールで形成されている。
【００１５】
図２（Ａ）は図１に示す省電力光源としてＬＥＤ電球を用いた照明装置（以下、「ＬＥＤ照明装置」という）を、図１において矢印ＩＩ−ＩＩで示す方向から見た平面図であり、図２（Ｂ）は図２（Ａ）において、矢印ＩＩＢ−ＩＩＢで示す部分の断面図である。図２（Ａ）および（Ｂ）を参照して、ＬＥＤ照明装置１０においては、ＬＥＤ電球１１は、水平方向においても垂直方向においても、ＬＥＤ照明装置１０のほぼ中央に位置するように、ＬＥＤ電球１１への電源供給部（ソケット）１４がベース１３によって支持されている。図２（Ａ）に示すように、省電力光源であるＬＥＤ電球を中心として、その周囲に放射状に延在するように設けられた複数のブレードがＬＥＤ電球側において周方向に相互に連続するように接続されている。また電源供給部１４への電気の供給コード１５はベース１３の側面の一部に設けられた貫通孔１６を介して外部へ取出されている。
【００１６】
図２（Ｂ）から、この実施の形態においては、ブレード１２の形状は半円形状である。また、この実施の形態においては、ＬＥＤ電球１１および電源供給部１４の周囲には上下方向に延在するアクリル製の筒１８で覆われている。このアクリル製の筒１８の上端部は開放されているが、この部分をブレードと同様の材質、すなわち、プラスチックダンボールで覆ってもよい。
【００１７】
また、図２（Ｂ）に示すように、ブレード１２は全体には半円形状であるが、その中央下端部は下方向に突出部を有し、この突出部がベース１３に挿入される。なお、この構成については後述する。
【００１８】
図３はベース１３を示す図である。図３（Ａ）は図２（Ｂ）において、矢印ＩＩＩＡ−ＩＩＩＡで示す部分の矢視図であり、図３（Ｂ）は図３（Ａ）において矢印ＩＩＩＢ−ＩＩＩＢで示す部分の断面図であり、図３（Ｃ）は図３（Ａ）において矢印ＩＩＩＣ−ＩＩＩＣで示す部分の矢視図である。なお、図３においてはブレードの図示は省略している。
【００１９】
図３を参照して、ベース１３はその中央部に設けられたＬＥＤ電球１１を保持する電源供給部（ソケット）１４を保持するソケット保持部２１と、ソケット保持部２１の外周部に設けられたアクリル製の筒１８を保持する筒保持用の段部２２と、段部２２の外周部に設けられたブレード保持部２３とを含む。ブレード保持部２３はソケット保持部２１を中心として、内壁２３ａと底面２３ｃと外壁２３ｂとを有するＵ字状の円周方向に延在する溝である。段部２２の外周端部はそのまま下方向へ延在して内壁２３ａを構成している。外壁２３ｂの外周部はベース１３の円筒状の部分１３ａを構成し、その厚さはｇ１である。
【００２０】
ブレード保持部２３は円周方向において、相互に等間隔で設けられた複数のブレード保持板２４によって分割されており、このブレード保持板２４の間にブレードが挿入される。ブレードの先端部はアクリル製の筒まで延在する。また、ブレード保持板２４はＬＥＤ電球側でその幅が狭く、その反対側でその幅が広くなったテーパ状である。
【００２１】
また、ブレードの厚さは隣接するブレード保持板２４間の寸法より若干大きくなっており、ブレードをブレード保持板２４に挿入することによりブレードはブレード保持板２４でしっかり保持される。その結果、ＬＥＤ電球からの光は外部に直接もれることはない。
【００２２】
図３（Ｂ）に示すように、ブレード保持部２３は径方向において寸法ｄ１を有し、上下方向において寸法ｈ１を有する。この寸法は後に説明するように、ブレードの下端部を保持するために定められている寸法である。
【００２３】
図３（Ｃ）を参照して、ベース１３は、ＬＥＤ電球を保持するソケット保持部２１が設けられた円筒状の部分１３ａと、ソケット保持部が設けられた円筒状の部分１３ａの下側に設けられ、円筒状の部分１３ａより径方向に拡大して延在する台部１３ｂとを含む。また、ブレードを保持するブレード保持板２４は、円筒状の部分１３ａの外部から見ると、その上端部にのみ設けられているように見える。
【００２４】
なお、ベース１３のソケット保持部２１の外周部および台部１３ｂには、ＬＥＤ電球からの熱を逃がすために通気用の複数の貫通孔２５，２６が円周方向に設けられている。
【００２５】
以上のように、この実施の形態においては、ＬＥＤを用いた照明装置において、ＬＥＤ光源を中心として、その周囲に放射状に延在するように設けられた複数の半円形状のブレードがＬＥＤ光源側において相互に周方向に接続されているため、光源からの光は光源を中心としてその周囲に照射されると共に、照射される光は直接外部に漏れない。その結果、ＬＥＤからの光を有効に利用するとともに、眩しさを感じさせないＬＥＤを用いた照明装置を提供できる。なお、周方向に接続されている隣接したブレードを接着してもよい。
【００２６】
次にブレードについて説明する。図４は、この実施の形態で使用されるブレードの平面形状を示す図である。図４（Ａ）は先の実施の形態で説明した半円形状のブレード１２を示す図である。図４（Ａ）を参照して、ブレード１２は基本的には半円形状であるが、直径側の下端部には下方向に突出する矩形状の突出部１２ａが設けられている。また、突出部１２ａとそれ以外の半円形状部分との間には上方向に延在する溝１２ｂが設けられている。ここで突出部１２ａの上下方向の寸法をｈ２とし、幅方向の寸法をｄ２、溝１２ｂの幅の寸法をｇ２とする。
【００２７】
これらの寸法は、図３（Ｂ）において説明したブレード保持部２３の寸法に対して、ｈ２＜ｈ１、ｄ２＜ｄ１、ｇ１＜ｇ２の関係を有する。これによってブレード１２はベース１３のブレード保持部２３内、および、溝１２ｂがベース１３の円筒状の部分１３ａと外壁２３ｂとの間に嵌り、ブレード１２がしっかりとベース１３によって保持される。
【００２８】
ここで、ブレード１２の材質は、上記したようにプラスチックダンボールが好ましく、特に、その溝が水平方向に延在するように取り付けるのが好ましい。しかしながら、光を直接透過しないものであれば紙等の任意の素材でよい。また、光の照射方向が決められる溝等を有するものが好ましい。
【００２９】
なお、ブレード１２を構成するプラスチックダンボールの溝の方向を図４（Ａ）および（Ｂ）において、参照番号３１で示す。ここでは、溝は水平方向に延在している。
【００３０】
このようにプラスチックダンボールをＬＥＤ電球の周囲に放射状に取付けることにより、光がプラスチックダンボールの溝に沿って照射され、独特の照明効果が得られる。
【００３１】
なお、プラスチックダンボールの溝の方向は水平横方向に限らず、斜め上方向や斜め下方向、これらの部分的な組合せ等であってもよい。プラスチックダンボールであれば、これらの部分的なものを相互に容易に接続できるためである。
【００３２】
なお、上記実施の形態においては、ブレード１２の形状が半円形状である場合について説明したが、これに限らず、図４（Ｂ）〜（Ｅ）に示すように、矩形状、三角形状、下部が矩形状で、その上に上部が広く下部が狭いテーパ状を組み合わせた形状、下部が矩形状で、その上に上部が広く下部が狭くなる円弧状を組み合わせた形状、等の任意の形状であってもよい。これらの場合においても、ブレード１２のベース１３への取付け方法は先の実施の形態と同様である。
【００３３】
また、これらのブレードを用いた場合のＬＥＤを用いた照明装置の、図２（Ｂ）に対応する図を図５に示す。図４（Ｂ）に示すブレードを用いた照明装置を図５（Ａ）に示し、図４（Ｃ）に示すブレードを用いた照明装置を図５（Ｂ）に示し、図４（Ｄ）に示すブレードを用いた照明装置を図５（Ｃ）に示し、図４（Ｅ）に示すブレードを用いた照明装置を図５（Ｄ）に示す。
【００３４】
これらの実施の形態においても、先の実施の形態において説明したのと同様の効果を奏する。
【００３５】
なお、上記実施の形態においては、省電力光源としてＬＥＤ電球を用いた場合について説明したが、これに限らず、蛍光灯を用いた電球のような省電力光源であれば任意の光源を用いてもよい。また、ＬＥＤそのものを用いてもよい。
【００３６】
また、上記実施の形態においては、ＬＥＤ光源を用いた照明装置を床等に載置するように、底部が広がったベースを下方向に有する場合について説明したが、これに限らず、逆向に天井に取付けて、下方向を照明してもよいし、壁に取付けて、横方向から照明するようにしてもよい。なお、ベースの形状は、その設置されるものによって変えてもよい。
【００３７】
また、上記実施の形態においては、ＬＥＤ光源とブレードとの間にアクリル製の筒を設けた場合について説明したが、これに限らず、アクリル製の筒はなくてもよい。
【００３８】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００３９】
この発明に係る省電力光源としてＬＥＤを用いた照明装置はＬＥＤからの光を有効に利用するとともに、眩しさを感じさせないＬＥＤを用いた照明装置を提供できるため、照明装置として有利に利用される。
【符号の説明】
【００４０】
１０  ＬＥＤを用いた照明装置、１１  ＬＥＤ電球、１２  ブレード、１３  ベース、１４  電源供給部、１５  電気の供給コード、１６  貫通孔、１８  アクリル製の筒、２１  ソケット保持部、２２  段部、２３  ブレード保持部、２４  ブレード保持板。
【図１】
2012074211.tif 000003
【図２】
2012074211.tif 000004
【図３】
2012074211.tif 000005
【図４】
2012074211.tif 000006
【図５】
2012074211.tif 000007